(57)【特許請求の範囲】
【請求項１】
第１フロアボード（１）と第２フロアボード（１’）とからなり、機械的に接合された一対のフロアボードにおいて、
各フロアボード（１、１’）は各々コア（３０）及び両側の第１及び第２の接合縁部分（４ａ、５ａ、及び４ｂ、５ｂの夫々）を持ち、これによって第１および第２フロアボード（１、１’）は、第１及び第２の接合縁部分（４ａ、５ａ、及び４ｂ、５ｂの夫々）が垂直接合平面（Ｆ）のところで接合されており、各フロアボード（１、１’）は、
ａ）第１フロアボード（１）の第１接合縁部分（４ａ）と隣接した第２フロアボード（１’）の第２接合縁部分（４ａ、５ａ、及び４ｂ、５ｂの夫々）とを垂直方向で接合するための機械的協働手段（３６、３８）、及び
ｂ）前記第１及び第２の接合縁部分（４ａ、５ａ、及び４ｂ、５ｂの夫々）を水平方向で接合するための機械的協働手段（６、８；１４）を含み、この機械的協働手段は、
前記第２フロアボード（１’）の下側（３）に形成され、前記第２接合縁部分（４ｂ、５ｂ）のところにある前記垂直接合平面（Ｆ）と平行に延び且つ前記垂直接合平面から所定距離のところにあり、下方に差し向けられた開口部を持つ、係止溝（１４）と、
前記第１フロアボード（１）の前記コアと一体成形され、前記第１接合縁部分（４ａ、５ａ）のところで前記垂直接合平面（Ｆ）から突出し、前記第１フロアボード（１）の前記上側を含む平面に向かって突出する係止エレメント（８）が前記垂直接合平面（Ｆ）から所定距離のところに設けられ、前記係止溝（１４）と協働するための少なくとも一つの作用係止面（１０）を有するストリップ（６）とを含み、
前記係止溝（１４）は、前記フロアボードの平面内で見て、前記垂直接合平面（Ｆ）から遠ざかる方向で、前記係止エレメント（８）よりも幅が大きい、一対のフロアボードにおいて、
前記係止エレメント（８）の前記少なくとも一つの作用係止面（１０）は、本質的に平らであり、前記係止エレメントの上部分に前記突出ストリップ（６）の上側から所定距離のところに近接して配置されており、前記接合平面（Ｆ）に向いており、
前記係止溝（１４）は少なくとも一つの本質的に平らな作用係止面（１１）を有し、この作用係止面は、前記係止溝内に前記係止溝の前記開口部から所定距離のところに配置されており、前記接合位置で前記係止エレメント（８）の前記係止面（１０）と協働するように設計されており、
前記係止溝（１４）は、前記接合平面（Ｆ）に最も近い下縁部のところに、前記係止溝の前記係止面（１１）から前記係止溝の前記開口部に延び、かつ係止面（１１）からこの係止面（１１）に対して更に接合平面（Ｆ）側へ傾斜するとともに丸みを付けたガイド部分（１２）を有し、このガイド部分は、前記係止エレメントの前記係止面（１０）の上側、即ちその上縁部と隣接して位置決めされた前記係止エレメント（８）の一部を係止溝（１４）に係合させることによって第２フロアボード（１’）に対して第１フロアボード（１）を傾けて係合させる際、前記係止エレメント（８）を前記係止溝（１４）内に案内するようになっており、
前記係止エレメント（８）及び前記係止溝（１４）の前記作用係止面（１０及び１１の夫々）は、前記ボードの前記上側に対して少なくとも５０°の係止角度（Ａ）をなす、ことを特徴とする一対のフロアボード。
【請求項２】
請求項１に記載の一対のフロアボードにおいて、前記フロアボード（１、１’）は、コア（３０）と、このコアの前記上側の表面層（３２）と、前記コア（３０）の後側のバランシング層（３４）とを有する、ことを特徴とする一対のフロアボード。
【請求項３】
請求項１又は２に記載の一対のフロアボードにおいて、前記係止エレメント（８）及び前記係止溝の前記作用係止面（１０及び１１の夫々）は、前記ボード（１、１’）の上側に対して少なくとも６０°の角度（Ａ）をなす、ことを特徴とする一対のフロアボード。
【請求項４】
請求項３に記載の一対のフロアボードにおいて、前記係止エレメント（８）及び前記係止溝の前記作用係止面（１０及び１１の夫々）は、前記ボード（１、１’）の上側に対して少なくとも８０°の角度（Ａ）をなす、ことを特徴とする一対のフロアボード。
【請求項５】
請求項４に記載の一対のフロアボードにおいて、前記係止エレメント（８）及び前記係止溝の前記作用係止面（１０及び１１の夫々）は、前記ボード（１、１’）の上側に対して本質的に９０°の角度（Ａ）をなす、ことを特徴とする一対のフロアボード。
【請求項６】
請求項１乃至５のうちのいずれか一項に記載の一対のフロアボードにおいて、垂直方向で係止するために協働する前記係止システムの機械的手段（３６、３８）、及び水平方向で係止するために協働する前記係止システムの手段（６、８；１４）は、一方のフロアボード（１）を他方のフロアボード（１’）に向かって内方に傾けることによって前記係止エレメント（８）を前記係止溝（１４）に挿入できる形体を有し、この際、接合面（Ｆ）とフロアボードの上側との間の境界と近接した二つのフロアボードの接合縁部面部分（４１、４２）間の接触を維持する、ことを特徴とする一対のフロアボード。
【請求項７】
請求項１乃至６のうちのいずれか一項に記載の一対のフロアボードにおいて、垂直方向で係止するために協働する前記係止システムの機械的手段（３６、３８）、及び水平方向で係止するために協働する前記係止システムの手段（６、８；１４）は、前記係止エレメント（８）を前記係止溝（１４）にスナップ嵌めするため、前記一体成形されたストリップ（６）を曲げているときに一方のフロアボード（１）を他方のフロアボード（１’）に向かって実質的に水平方向に移動することによって前記係止エレメント（８）を前記係止溝（１４）に挿入できる形体を有する、ことを特徴とする一対のフロアボード。
【請求項８】
請求項１乃至６のうちのいずれか一項に記載の一対のフロアボードにおいて、垂直方向で係止するために協働する前記係止システムの前記機械的手段（３６、３８）、及び水平方向で係止するために協働する前記係止システムの手段（６、８；１４）は、前記係止エレメント（８）を前記係止溝（１４）にスナップ嵌めするため、前記一体成形されたストリップ（６、８）を曲げているときに一方のフロアボード（１）を他方のフロアボード（１’）に向かって実質的に垂直方向に移動することによって前記係止エレメント（８）を前記係止溝（１４）に挿入できる形体を有する、ことを特徴とする一対のフロアボード。
【請求項９】
請求項１乃至８のうちのいずれか一項に記載の一対のフロアボードにおいて、
Ｗ＞０．５Ｈの関係を有し、ここで、
Ｗ＝前記フロアボードの前記上側と平行な、前記係止エレメントの前記作用係止面のレベルでの前記係止エレメント（８）の厚さ、及び
Ｈ＝前記ストリップ（６）の前記上側から見た前記係止エレメント（８）の高さである、ことを特徴とする一対のフロアボード。
【請求項１０】
請求項１乃至８のうちのいずれか一項に記載の一対のフロアボードにおいて、
Ｗ＜５×Ｈの関係を有し、ここで、
Ｗ＝前記フロアボードの前記上側と平行な、前記係止エレメントの前記作用係止面のレベルでの前記係止エレメント（８）の厚さ、及び
Ｈ＝前記ストリップ（６）の前記上側から見た前記係止エレメント（８）の高さである、ことを特徴とする一対のフロアボード。
【請求項１１】
請求項１乃至１０のうちのいずれか一項に記載の一対のフロアボードにおいて、前記フロアボードの前記上側と平行な、前記係止エレメント（８）の厚さは、前記係止エレメントの下部分でその上部分よりも大きい、ことを特徴とする一対のフロアボード。
【請求項１２】
請求項１乃至１１のうちのいずれか一項に記載の一対のフロアボードにおいて、前記係止溝（１４）の前記下ガイド部分（１２）及び前記係止エレメント（８）の対応する下部分は、係止位置で互いに接触しないように設計されている、ことを特徴とする一対のフロアボード。
【請求項１３】
請求項１乃至１２のうちのいずれか一項に記載の一対のフロアボードにおいて、前記係止溝（１４）の前記ガイド部分（１２）は、前記接合平面（Ｆ）が前記フロアボード（１、１’）の上側と交差する場所に中心（Ｃ３）を持ち、かつ前記係止エレメント（８）の上部分に対して接線をなす円弧（Ｃ１）の内側に配置された部分を有し、この部分は、前記係止エレメント（８）の上部分に対して接線をなす、ことを特徴とする一対のフロアボード。
【請求項１４】
請求項１乃至１３のうちのいずれか一項に記載の一対のフロアボードにおいて、前記係止エレメント（８）は、傾斜した又は丸みを付けたガイド部分（９）を有し、このガイド部分は、前記係止エレメント（８）の前記作用係止面（１０）の上側に位置決めされており、及び前記接合平面（Ｆ）が前記フロアボード（１、１’）の上側と交差する場所に中心（Ｃ３）を持ち且つ前記係止エレメント（８）の上部分に対して接線をなす円弧（Ｃ１）の外側に位置決めされている、ことを特徴とする一対のフロアボード。
【請求項１５】
請求項１３又は１４に記載の一対のフロアボードにおいて、一方では、前記係止溝（１４）の前記ガイド部分（１２）の下縁部と前記円弧（Ｃ１）との間の水平方向距離（Ｅ１）と、他方では、前記係止エレメント（８）の前記ガイド部分（９）の上縁部と前記円弧（Ｃ１）との間の水平方向距離（Ｅ２）との和は常にゼロ以上であり、前記係止溝の前記下縁部についての前記水平方向距離（Ｅ１）は、前記下縁部が前記円弧（Ｃ１）の外側に配置されている場合には負であると考えられる、ことを特徴とする一対のフロアボード。
【請求項１６】
請求項１３、１４、又は１５に記載の一対のフロアボードにおいて、前記係止エレメント（８）の前記ガイド部分（９）及び前記係止溝（１４）は、前記係止位置で互いに接触しないように設計されている、ことを特徴とする一対のフロアボード。
【請求項１７】
請求項１乃至１６のうちのいずれか一項に記載の一対のフロアボードにおいて、前記係止エレメント（８）の高さ及び前記係止溝（１４）の深さは、前記係止エレメントの上部分が、前記係止位置において、前記係止溝と接触しないようになっている、ことを特徴とする一対のフロアボード。
【請求項１８】
請求項１乃至１７のうちのいずれか一項に記載の一対のフロアボードにおいて、垂直方向で係止するために協働する前記係止システムの機械的手段（３６、３８）、及び水平方向で係止するために協働する前記係止システムの手段（６、８；１４）は、前記係止溝を持つ前記フロアボード（１’）を上方に傾ける際に前記係止エレメント（８）を前記係止溝（１４）に残すことができる形体を有し、この際、接合面（Ｆ）とフロアボードの上側との間の境界と近接した二つのフロアボードの接合縁部面部分（４１、４２）間の接触を維持する、ことを特徴とする一対のフロアボード。
【請求項１９】
請求項１乃至１８のうちのいずれか一項に記載の一対のフロアボードにおいて、垂直方向で係止するために協働する前記係止システムの機械的手段（３６、３８）、及び水平方向で係止するために協働する前記係止システムの手段（６、８；１４）は、前記係止位置において前記フロアボード（１、１’）を前記接合平面（Ｆ）と平行に変位できる形体を有する、ことを特徴とする一対のフロアボード。
【請求項２０】
請求項１乃至１９のうちのいずれか一項に記載の一対のフロアボードにおいて、前記フロアボードを垂直方向で接合するための前記機械的手段（３６、３８）は、前記フロアボードの前記接合縁部分（４ａ、４ｂ）に形成されている、ことを特徴とする一対のフロアボード。
【請求項２１】
請求項１８に記載の一対のフロアボードにおいて、前記フロアボードを垂直方向で接合するための前記機械的手段（３６、３８）は、本さねはぎ継手として形成されている、ことを特徴とする一対のフロアボード。
【請求項２２】
請求項１乃至２１のうちのいずれか一項に記載の一対のフロアボードにおいて、前記ストリップ（６）は、前記フロアボードの前記コア（３０）の材料以外の材料で形成されており、前記コアに一体に連結されている、ことを特徴とする一対のフロアボード。
【請求項２３】
請求項１乃至１９のうちのいずれか一項に記載の一対のフロアボードにおいて、前記ストリップは前記フロアボードの前記コア（３０）と一部品をなして形成されており、前記コアに一体に連結されている、ことを特徴とする一対のフロアボード。
【請求項２４】
請求項１に記載の一対のフロアボードにおいて、
前記係止エレメント（８）及び前記係止溝（１４）の前記作用係止面（１０及び１１の夫々）は、前記フロアボードの前記上側に対して本質的に垂直な係止角度（Ａ）を有し、
前記係止エレメント（８）及び前記係止溝（１４）の前記作用係止面（１０及び１１の夫々）は、前記接合平面（Ｆ）と平行な高さ（ＬＳ）を有し、この高さは、前記係止エレメント（８）の高さ（Ｈ）の０．５倍以下であり、
前記係止エレメント（８）は、前記係止エレメントの前記作用係止面（１０）から延びる傾斜した又は丸みを付けたガイド部分（９）をその上端のところに有し、このガイド部分は、前記係止溝（１４）内への前記係止エレメント（８）の案内中に前記係止溝のガイド部分（１２）と係合するようになっている、ことを特徴とする一対のフロアボード。
【請求項２５】
請求項１に記載の一対のフロアボードにおいて、一方では、前記係止溝（１４）の前記ガイド部分（１２）の下縁部と、前記接合平面（Ｆ）が前記フロアボード（１、１’）の上側と交差する場所に中心（Ｃ３）を持ち且つ前記係止エレメント（８）の上部分に対して接線をなす円弧（Ｃ１）との間の水平方向距離（Ｅ１）と、他方では、前記係止エレメント（８）のガイド部分（９）の上縁部と前記円弧（Ｃ１）との間の水平方向距離（Ｅ２）との和は常にゼロ以上であり、前記係止溝の前記下縁部についての前記水平方向距離（Ｅ１）は、前記下縁部が前記円弧（Ｃ１）の外側に配置されている場合には負である、ことを特徴とする一対のフロアボード。
【請求項２６】
請求項２４又は２５に記載の一対のフロアボードにおいて、前記フロアボード（１、１’）は、コア（３０）、このコアの前記上側の表面層（３２）、及び前記コア（３０）の後側のバランシング層（３４）を有する、ことを特徴とする一対のフロアボード。
【請求項２７】
請求項２４、２５、又は２６に記載の一対のフロアボードにおいて、垂直方向で係止するために協働する前記係止システムの機械的手段（３６、３８）、及び水平方向で係止するために協働する前記係止システムの手段（６、８；１４）は、前記係止エレメント（８）を前記係止溝（１４）にスナップ嵌めするため、前記一体成形されたストリップ（６）を曲げているときに一方のフロアボード（１）を他方のフロアボード（１’）に向かって実質的に水平方向に移動することによって前記係止エレメント（８）を前記係止溝（１４）に挿入できる形体を有する、ことを特徴とする一対のフロアボード。
【請求項２８】
請求項２４乃至２７のうちのいずれか一項に記載の一対のフロアボードにおいて、前記係止溝（１４）の前記下ガイド部分（１２）及び前記係止エレメント（８）の対応する下部分は、係止位置で互いに接触しないように設計されている、ことを特徴とする一対のフロアボード。
【請求項２９】
請求項２４乃至２８のうちのいずれか一項に記載の一対のフロアボードにおいて、前記係止エレメント（８）は、前記係止エレメント（８）の前記作用係止面（１０）の上方に、前記中心（Ｃ３）から前記係止エレメント（８）の上端に対して接線をなす前記円弧（Ｃ１）よりも遠くに位置決めされた上ガイド部分（９）を有する、ことを特徴とする一対のフロアボード。
【請求項３０】
請求項２９に記載の一対のフロアボードにおいて、前記係止エレメント（８）の前記ガイド部分（９）及び前記係止溝（１４）は、前記係止位置で互いに接触しないように設計されている、ことを特徴とする一対のフロアボード。
【請求項３１】
請求項２４乃至３０のうちのいずれか一項に記載の一対のフロアボードにおいて、前記係止エレメント（８）の高さ及び前記係止溝（１４）の深さは、前記係止エレメントの上部分が、前記係止位置において、前記係止溝と接触しないようになっている、ことを特徴とする一対のフロアボード。
【請求項３２】
請求項２４乃至３１のうちのいずれか一項に記載の一対のフロアボードにおいて、垂直方向で係止するために協働する前記係止システムの機械的手段（３６、３８）、及び水平方向で係止するために協働する前記係止システムの手段（６、８；１４）は、前記係止位置において前記フロアボード（１、１’）を前記接合平面（Ｆ）と平行に変位できる形体を有する、ことを特徴とする一対のフロアボード。
【請求項３３】
請求項２４乃至３２のうちのいずれか一項に記載の一対のフロアボードにおいて、前記フロアボードを垂直方向で接合するための前記機械的手段（３６、３８）は、前記フロアボードの前記接合縁部分（４ａ、４ｂ）に形成されている、ことを特徴とする一対のフロアボード。
【請求項３４】
請求項３３に記載の一対のフロアボードにおいて、前記フロアボードを垂直方向で接合するための前記機械的手段（３６、３８）は、本さねはぎ継手として形成されている、ことを特徴とする一対のフロアボード。
【請求項３５】
請求項２４乃至３４のうちのいずれか一項に記載の一対のフロアボードにおいて、前記ストリップ（６）は、前記フロアボードの前記コア（３０）の材料以外の材料で形成されており、前記コアに一体に連結されている、ことを特徴とする一対のフロアボード。
【請求項３６】
請求項２４乃至３５のうちのいずれか一項に記載の一対のフロアボードにおいて、前記ストリップは前記フロアボードの前記コア（３０）と一部品をなして形成されており、前記コアに一体に連結されている、ことを特徴とする一対のフロアボード。
【請求項３７】
請求項１乃至３６のうちのいずれか一項に記載の一対のフロアボードを接合することによって形成されたフローリング。
【発明の詳細な説明】
【０００１】
【発明の属する技術分野】
本発明は、全体として、フロアボードの機械的係止の分野に関する。本発明は、フロアボードを機械的に係止するための改良係止システム、このような改良係止システムを備えたフロアボード、及びこのような機械的に接合したフロアボードでできたフローリングに関する。本発明は、全体として、ＷＯ９４２６９９９及びＷＯ９９６６１５１及びに記載されており且つ示された種類の係止システムに対する改良に関する。
【０００２】
【従来の技術】
更に詳細には、本発明は、コア、及び好ましくはこのコアの上側に設けられた表面層及びコアの後側に設けられたバランシング層を持つ種類のフロアボードを機械的に接合するための係止システムに関し、前記係止システムは、（ｉ）第１及び第２のフロアボードの夫々の第１及び第２の接合縁部分を垂直接合平面のところで水平方向で接合するため、一方では、第２ボードの下側に形成されており且つ前記第２接合縁部のところで前記垂直接合平面と平行に且つこの垂直接合平面から所定距離離間された係止溝を含み、及び他方では、前記第１接合縁部のところで第１ボードのコアと一体成形されており、前記垂直接合平面から突出しており、係止エレメントを支持し、前記第１フロアボードの上側を含む平面に向かって突出しており、前記係止溝と協働するための係止面を持つストリップを含み、（ｉｉ）第１及び第２の接合縁部を垂直方向で接合するため、一方では、接合平面から少なくとも部分的に突出しており且つ延びているタングを含み、及び他方では、前記タングと協働するようになったタング溝を含み、第１及び第２のフロアボードは、それらの接合縁部分内に、垂直方向で接合するため、協働上接触面及び協働下接触面を持ち、これらのうち、少なくとも協働上接触面は、前記タング溝及び前記タングの表面部分を含む。
【０００３】
本発明の適用分野
本発明は、ファイバボードコアを持つ積層体フローリング及びベニヤフローリング等の、上表面層、中間ファイバボードコア、及び下バランシング層でできたフロアボードでできた薄い浮床フロアを機械的に接合するのに特に適している。従って、当該技術分野の現状、周知のシステムと関連した問題点、及び本発明の目的及び特徴についての以下の説明は、非限定的例として、この適用分野に注目し、詳細には、約１．２ｍ×０．２ｍで厚さが約７ｍｍ乃至１０ｍｍの寸法の、長側部並びに短側部のところで機械的に接合されるようになった矩形のフロアボードに注目する。
【０００４】
発明の背景
薄い積層フローリング及び木材ベニヤフローリングは、通常は、６ｍｍ乃至９ｍｍのファイバボード、厚さが０．２ｍｍ乃至０．８ｍｍの上表面層、及び０．１ｍｍ乃至０．６ｍｍ厚の下バランシング層を含む本体を有する。表面層は、フロアボードに外観及び丈夫さを提供する。コアは安定性を提供し、バランシング層は年間を通して相対湿度（ＲＨ）が変化する場合にボードのレベルを保持する。ＲＨは、１５％乃至９０％の間で変化する。この種の従来のフロアボードは、通常、長側部及び短側部のところに接着剤で結合した本さねはぎ継手（即ちフロアボードに設けられたタング及び隣接したフロアボードに設けられたタング溝を含む継手）によって接合される。フロアを敷設するとき、ボードを水平方向で合わせることによって、第１ボードの接合縁部に沿って突出したタングを隣接した第２ボードの接合縁部に沿って設けられたタング溝に導入する。同じ方法を長側部並びに短側部で使用する。タング及びタング溝は、このような水平方向接合のみについて設計されており、特に、タングをタング溝内に効率的に接着剤結合できるように接着剤ポケット及び接着面を設計する方法に注意を払わなければならない。本さねはぎ継手は、完成したフロアの表面を平らにするため、ボードを垂直方向で位置決めする上下の協働接触面を提供する。
【０００５】
接着剤で結合した本さねはぎ継手によって連結されたこのような従来のフロアに加え、今日、接着剤でなく機械的に接合される、接着剤を使用する必要がないフロアボードが開発された。この種の機械的接合システムを、下文において、「ストリップ係止システム」と呼ぶ。これは、このシステムの最も特徴的な構成要素が、係止エレメントを支持する突出したストリップであるためである。
【０００６】
ＷＯ９４２６９９９及びＷＯ９９６６１５１（所有者：ベーリンゲアルミニウムＡＢ）には、建築用パネル、特にフロアボードを接合するためのストリップ係止システムが開示されている。この係止システムにより、ボードを、長側部及び短側部のところで、主平面に対して直角に並びに主平面と平行に機械的に係止できる。このようなフロアボードの製造方法は、ＥＰ０９５８４４１及びＥＰ０９５８４４２（所有者：ベーリンゲアルミニウムＡＢ）に記載されている。フロアボードの設計及び設置並びにその製造方法の基本的原理は、上掲の三つの文献に記載されているように、本発明でも同様に使用でき、従って、これらの文献に触れたことにより、これらの文献に開示されている内容は本明細書中に組入れたものとする。
【０００７】
本発明の理解を促すため、及び本発明を説明するため、並びに本発明の問題点を理解するため、上述のＷＯ９４２６９９９及びＷＯ９９６６１５１による周知のフロアボードの基本的設計及び機能を、添付図面のうちの図１、図２、及び図３を参照して以下に簡単に説明する。適用可能である場合には、従来技術の以下の説明は、以下に説明する本発明の実施例にも適用される。
【０００８】
かくして、図３のａ及びｂは、夫々、周知のフロアボード１の平面図及び底面図である。ボード１は矩形であり、上側２、下側３、接合縁部４ａ、４ｂを含む二つの両長側部及び接合縁部５ａ、５ｂを含む二つの両短側部を備えている。
【０００９】
接着剤を使用せずに、長側部の接合縁部４ａ、４ｂ及び短側部の接合縁部５ａ、５ｂを図１のｃの方向Ｄ２で機械的に接合でき、その結果、これらの接合縁部は接合平面Ｆで接合する（図２のｃ参照）。この目的のため、ボード１は、工場で取り付けられた平らなストリップ６を有する。このストリップは長側部４ａの全長に亘って延びており、可撓性で弾性のアルミニウムシートで形成されている。ストリップ６は、接合縁部４ａのところで接合平面Ｆから突出している。ストリップ６は、図示の実施例に従って機械的に、又は接着剤によって、或いは任意の他の方法で固定できる。この他のストリップ材料、例えば他の金属のシート、並びにアルミニウム又はプラスチックの型材を使用できる。別の態様では、ストリップ６はボード１と一部品をなして形成されていてもよく、例えばボード１のコアを適当に加工することによって形成されていてもよい。かくして、本発明は、ストリップがコアと一体成形されたフロアボードについて使用でき、このようなフロアボード及びその製造で遭遇する特別の問題点を解決する。フロアボードのコアは必ずしも均等な材料でできていなくてもよいが、好ましくは均等な材料でできている。しかしながら、ストリップ６はボード１と常に一体である、即ちフロアの積層と関連してボード１に取り付けられるのでは決してなく、工場で取り付けられ又は形成されるのである。ストリップ６は、幅が約３０ｍｍで厚さが約０．５ｍｍであるのがよい。同様であるがこれよりも短いストリップ６’がボード１の一つの短側部５ａに沿って設けられている。接合平面Ｆから突出したストリップ６の部分には、ストリップ６の長さに亘って延びる係止エレメント８が形成されている。この係止エレメント８は、接合平面Ｆに面する作用係止面１０をその下部分に有する。この作用係止面の高さは、例えば、０．５ｍｍである。フロアを敷設するとき、この係止面１０は、隣接したボード１’の向き合った長側部の接合縁部分４ｂの下側３に形成された係止溝１４と協働する。短側部ストリップ６’には対応する係止エレメント８’が設けられており、反対側の短側部の接合縁部分５ｂには対応する係止溝１４’が設けられている。接合平面Ｆに最も近い係止溝１４、１４’の縁部が、係止エレメントの作用係止面１０と協働する作用係止面１１を形成する。
【００１０】
更に、長側部及び短側部の両方を垂直方向（図１のｃの方向Ｄ１）でも機械的に接合するため、ボード１には、横方向に開放した凹所１６が、一方の長側部（接合縁部分４ａ）及び一方の短側部（接合縁部分５ａ）に沿って形成されている。この凹所１６の底部は、夫々のストリップ６、６’によって画成される。反対側の縁部４ｂ及び５ｂには、凹所１６（図２のａ参照）と協働する係止タング２０を画成する上凹所１８が設けられている。
【００１１】
図１のａ乃至ｃは、２つのこのようなボード1 、1 ’の２つの長側部４ａ、４ｂを下敷Ｕ上で、下方に傾けること（ｄｏｗｎｗａｒｄｌｙ  ａｎｇｌｉｎｇ）によって互いに接合できるようにする方法を示す。図２のａ乃至ｃは、このようなボード1 、1 ’の短側部５ａ、５ｂをスナップ作用で互いに接合できるようにする方法を示す。長側部４ａ、４ｂは、両方法で互いに接合できるが、短側部５ａ、５ｂは、第１の列が予め敷設されている場合には、通常は、長側部４ａ、４ｂを互いに接合した後にスナップ作用のみで互いに接合される。
【００１２】
新たなボード１’及び予め設置したボード１を図１のａ乃至ｃに示すようにそれらの長側縁部分４ａ、４ｂに沿って互いに接合しようとする場合、新たなボード１’の長側縁部分４ｂを前のボード１の長側縁部分４ａに図１のａに示すように押し付け、これにより係止タング２０を凹所１６に導入する。次いで、図１のｂに示すようにボード１’を下フロア１２に向かって下方に傾ける。これと関連して係止タング２０が凹所１６に完全に入り込み、この際、ストリップ６の係止エレメント８が係止溝１４に進入する。このように下方に傾ける際、係止エレメント８の上部分９を作用状態にでき、新たなボード１’を前に設置したボード１に向かって案内する。図１のｃに示す接合位置では、ボード１、１’は方向Ｄ１及び方向Ｄ２の両方でそれらの長側縁部分４ａ、４ｂに沿って係止されているが、ボード１、１’を接合部の長さ方向に長側部に沿って互いに変位させることができる。
【００１３】
図２のａ乃至ｃは、予め設置したボード１に向かって新たなボード１’を本質的に水平方向に移動することによって、ボード１、１’の短側縁部分５ａ及び５ｂをＤ１並びにＤ２の方向で機械的に接合できる方法を示す。詳細には、これは、新たなボード１’の長側部を、隣接した列の予め設置したボードに、図１のａ乃至ｃによる方法によって接合した後に行うことができる。図２のａの第１工程では、短側部５ａ、５ｂを互いに合わせることの直接的結果としてストリップ６’が押し下げられるように、凹所１６及び係止タング２０の夫々と隣接した面取りを施した表面が協働し、短側縁部５ａ、５２を互いに押し合わせることによる直接的結果としてストリップ６’を押して下方に移動する。最終的に互いに押し合わせる最中に係止エレメント８’が係止溝１４’に進入するとき、ストリップ６’がスナップ嵌めし、そのため、係止エレメント８’及び係止溝１４’の作用係止面１０、１１が互いに係合する。
【００１４】
図１のａ乃至ｃ及び図２のａ乃至ｃに示す工程を繰り返すことによって、接着剤を使用せずにフロア全体に全ての接合縁部に沿って敷設できる。かくして、上述の種類の周知のフロアボードは、通常は、最初にこれらのフロアボードを長側部で下方に傾けることによって機械的に接合され、長側部が固定されたとき、新たなボード１’を前に設置したボード１の長側部に沿って水平に変移させることによって短側部を互いにスナップ嵌めする。ボード１、１’は、接合部を損傷することなく、敷設とは逆の順序で取り外すことができ、再敷設できる。これらの敷設原理は、本発明にも適用できる。
【００１５】
最適の機能のため、ボードは、互いに接合された後、係止エレメントの作用係止面１０と係止溝１４の作用係止面１１との間に小さな遊びが存在できる位置をそれらの長側部に沿ってとることができなければならない。この遊びについての更に詳細な説明については、ＷＯ９４２６９９９を参照されたい。このような遊びは、隣接したボードの長側部を互いに押し付けるとき、作用係止面１０、１１間で０．０１ｍｍ乃至０．０５ｍｍ程度であってもよい。しかしながら、フロアボードの上側の接合縁部の上縁部には遊びがなくてもよい。
【００１６】
上掲の特許明細書から周知の事項に加え、ベーリンゲアルミニウムＡＢ、ノルウェーのノルスケ・スコッグ・フローリングＡＳ（ＮＳＦ）のライセンシーは、ＷＯ９４２６９９９による機械的接合部を持つ積層フロアを、ドイツ国ハノーバー市で開催されたドモテックス見本市と関連して、１９９６年１月に導入した。アロック（アロック（Ａｌｌｏｃ）は登録商標である）の商標名で販売されている図４のａに示すこの積層フロアは、厚さが７．２ｍｍであり、タング側部に機械的に取り付けられた０．６ｍｍのアルミニウムストリップ６を含む。係止エレメント８の作用係止面１０は、ボードの平面に対して８０°の傾斜（以下、係止角度という）を有する。係止エレメントは、丸みを付けた上案内部分及び下作用係止面を有する。係止面よりも角度がかなり小さい丸みを付けた上案内部分は、設置と関連したボードの位置決めに大きく寄与し、斜めにすること及びスナップ作用と関連した係止溝への係止エレメントの滑り込みを容易にする。垂直方向連結は、変更本さねはぎ継手として設計されている。「変更」という用語は、角度を付けることによってタング及びタング溝を合わせることができるということに関する。
【００１７】
ＷＯ９７４７８３４（所有者：ユニリン・ビーハーＢ．Ｖ．（オランダ国））は、本質的に上述の周知の原理に基づく、ファイバボードストリップを持つストリップ係止システムを説明する。この所有者が１９９７年後半に販売を開始した対応する製品である図４のｃに示す「ユニクリック」では、ボードの押圧を行おうとするものである。これは大きな摩擦を発生し、ボードを互いに傾けてこれらのボードを変位させることが困難である。この文献には、係止システムの幾つかの実施例が示してある。全ての係止面の角度は６０度を越えず、接合システムはガイド面を備えていない。
【００１８】
ボード材料を機械的に接合するための他の周知の係止システムは、例えば、屋外用木材パネルに延長接合部を提供するための片側機械的接合を示すドイツ国特許第２，２５６，０２３号に記載されている。この係止システムは、接合縁部の接合を可能にせず、接合縁部のところで上方に角度を付けることによって開放することができない。更に、係止エレメント及び係止溝は、十分な引張強度を提供しないように設計されている。米国特許第４，４２６，８２０号（図４のｅ参照）は、プラスチック製スポーツフロア用の機械的係止システムに関する。このフロアは、互いに沿ったフロアボードの変位もスナップ作用によるフロアボードの短側部の係止もなされないように意図的に設計されている。
【００１９】
１９９８年の秋に、ＮＳＦは、ファイバボードストリップを含むストリップ係止システムを持つ７．２ｍｍの積層フロアを導入した。これはファイバボードストリップを含み、ＷＯ９４２６９９９及びＷＯ９９６６１５１に従って製造される。この積層フロアは、フィボロック（フィボロック（Ｆｉｂｏｌｏｃ）は登録商標である）の商標で販売されており、その断面を図４のｂに示す。
【００２０】
１９９９年に、ドイツ国のクロノテックスＧｍｂＨは、ストリップ係止体を持つ７．８ｍｍ厚の積層フロアを商標名「イシロック（Ｉｓｉｌｏｃｋ）」で導入した。このシステムの接合縁部の断面を図４のｄに示す。このフロアでも、ストリップは、ファイバボード及びバランシング層を含む。１９９９年中、機械接合システムは世界の市場で確固とした位置を占め、２０００年１月には２０数社の製造者が様々な種類のシステムを示した。これらのシステムは、本質的には、フィボロック、ユニクリック、及びイシロックの変形である。全てのシステムは、係止角度が小さい係止面を有し、ガイドが設けられている場合には、このガイドは係止エレメントの上部分に設けられる。
【００２１】
発明の概要
ＷＯ９４２６９９９及びＷＯ９９６６１５１によるフロア、及びフィボロックの商標で販売されているフロアには、従来の接着剤連結式フロアと比較して大きな利点があるが、主に薄いフロア構造で更に改良がなされるのが望ましい。
【００２２】
係止エレメント及び係止溝を含む垂直継手システムは、協働する二つの部品、即ちフロアボードが摺動して離れることがないようにする作用係止面を持つ係止部品、及びボードを位置決めし、係止エレメントを係止溝に層できるようにする上で寄与するガイド部品を含む。係止面とガイド部品との間の角度の差が大きければ大きい程、案内性が向上する。
【００２３】
丸みを付けた上部分及び本質的に垂直な下係止面を持つＷＯ９４２６９９９による係止エレメントの好ましい実施例は、高強度の接合部を提供する上で理想的である。内方に傾けてスナップ嵌めする機能もまた非常に良好であり、ストリップが下方に曲げられるために完全にぴったりとした接合縁部を得ることができ、これによって係止エレメントを開放し係止溝にスナップ嵌めする。
【００２４】
係止エレメントのこの設計の欠点は、多くの機械式係止システムで非常に重要な部分である取り外し機能である。係止溝は、中心が上接合縁部（即ち垂直方向接合平面がフロアボードの上側と交差する場所）にある円弧上にある。係止溝が円弧に対する接線と対応する係止角度、即ち下文においてクリアランス角度と呼ぶ角度を有する場合には、取り外しを問題なく行うことができる。係止角度がクリアランス角度よりも大きい場合には、係止システムの部品が互いに上方に角度をなして重なるため、取り外しをかなり困難にしてしまう。
【００２５】
アロック（図４のａ参照）は、係止角度が約８０°でクリアランス角度が約６５°のアルミニウムストリップを有する。フロアボードのコアと一体成形されたストリップを持つ他の周知のシステムは、ストリップの幅が狭いため、３０°乃至５５°の係止角度及びクリアランス角度を有し、円弧の半径は小さい。これにより、係止エレメントが係止溝から容易に滑り出てしまうため、水平方向Ｄ２での引張強度が低い。更に、水平方向引張応力の一部は、上方に差し向けられた力に変換され、これにより縁部が持ち上がってしまう。この基本的問題点を以下に詳細に説明する。
【００２６】
相対湿度ＲＨが夏期の約８０％から冬期の約２０％まで変化するとき、浮床フロアは通常の部屋で約１０ｍｍ収縮する。この移動は、周壁のスカートボードの下で隠された態様で生じる。この収縮は、床に荷重を及ぼす全ての家具を移動する。試験によれば、部屋の壁に沿って重量のある本箱が設けられている場合、接合部には、冬期に非常に大きな荷重又は引張応力が加わることが示される。長側部では、この荷重は、接合部１ｍ当たり約３００ｋｇにのぼる。短側部では、荷重が小さな接合部幅に亘って分配され、荷重は接合部１ｍ当たり約５００ｋｇにのぼる。
【００２７】
係止面の係止角度が低い場合には、接合部の強度は大幅に低下する。冬期には、接合縁部は摺動して離れ、そのためフロアの上側で接合間に望ましからぬ見苦しい隙間ができる。のみならず、係止エレメントの角度をなした係止面は、係止溝の上係止面を接合面へ上方に押圧する。タングの上部分がタング溝の上部分を上方に押し、これによって望ましからぬ縁部の持ち上がりが生じる。本発明は、例えば５０°を越える高い係止角度を係止面に形成することによって、例えば係止面を構造において上方に移動することによって、これらの問題点を大幅に減少できるという理解に基づく。理想的な設計は、垂直な係止面である。しかしながら、このような係止面は、特に例えばアルミニウム製のストリップ程可撓性でないファイバボードでストリップができている場合には開放が困難である。
【００２８】
垂直な係止面は、多くのファクタ間の相互作用が使用される場合に開放可能にできる。ストリップは、フロアの厚さに関して広幅でなければならず、良好な弾性を備えていなければならない。係止面間の摩擦は最小でなければならず、係止面は小さくなければならず、係止システムの係止溝、係止エレメント、及び上接合縁部のファイバ材料は圧縮性でなければならない。更に、係止位置にあるボードが係止溝の作用係止面と係止エレメントとの間に百分の数ミリの小さな遊びをとることができる場合、ボードの長側縁部粉が互いに押し付けられる場合、有利である。本質的に垂直な係止面と関連した問題点に対する十分に良好な解決策を与えると同時に開放が容易な製品又は方法は今日まで知られていない。
【００２９】
開放可能な係止面を大きな自由度を持つようにでき、係止角度を高く、好ましくは９０°にでき、狭幅のストリップと組み合わせることによって加工と関連した無駄を減少するのが非常に有利である。加工工具を水平方向に正確に案内しさえすればよいため、製造が容易になり、接合部が高い強度を得る。
【００３０】
【発明が解決しようとする課題】
以上を考え合わせると、上文中に言及した必要条件、問題点、願望を従来技術よりも大きく考慮に入れた係止システムを提供することに対する大きな必要が存在する。本発明は、この必要を満たすことを目的とする。
【００３１】
【課題を解決するための手段】
従って、本発明の目的は、
（ｉ）高い係止角度及び係止強度を持つ係止面、
（ｉｉ）このような係止面を持つと同時に開放可能な水平方向接合システム、及び
（ｉｉｉ）このような係止面を持つと同時にフロアボードを位置決めするためのガイド部分を持つ水平方向接合システムを持つ係止システムを提供することである。
【００３２】
本発明は、上述の問題点が、本質的には、係止エレメントが従来技術におけるように作用係止面をその下部分に備えているのでなくその上部分に有する、係止システムで解決されなければならないという第１の理解に基づく。設置してあるフロアを上方に傾けることによって取り外す場合には、係止溝の係止面は、従って、係止エレメントの上部分に圧力を及ぼす。これによりストリップが後方及び下方に曲がり、係止エレメントが内方に傾けた場合と同様に開放される。係止エレメント及び係止溝の適当な設計において、この圧力は、係止位置で作用する係止エレメントの部分よりも係止エレメントの上部に近い係止エレメントの部分で生じる。このようにして、開放力は係止力よりも小さい。
【００３３】
本発明は、更に、設置したフロアの上方への傾け中及び取り外し中の移動と関連した第２の理解に基づく。クリアランス角度、即ち垂直接合平面がフロアボードの上側と交差する場所に中心を持つ円弧に対する接線は、係止エレメントの上部分でその下部分よりも高い。従来技術において係止エレメントの下部分に配置された係止面の一部及び係止溝の夫々が、その代わりに、本発明に従って上部分に配置された場合には、係止角度とクリアランス角度との間の相違により、設置されたフロアの取り外し時の係止部の開放が容易になる。
【００３４】
本発明は、更に、フロアを敷設しようとする場合に内方に傾けるときの案内と関連した第３の理解に基づく。案内は、フロアボードの長側部を内方に傾ける場合に非常に重要である。これは、フロアボードが、多くの場合、反ったり湾曲したりし、従って、幾分円弧状即ち「バナナ」形状をなすためである。このバナナ形状は１ミリの数十分の一にのぼり、従って、設置していない状態のボードでは裸眼では見えない。係止システムのガイド性が最大バナナ形状を越えた場合には、ボードは、容易に下方に傾けることができ、これらのボードは、バナナ形状を真っ直ぐにするために接合縁部にしっかりと押し付ける必要がなく、係止エレメントを係止溝に挿入できる。従来技術の係止システムでは、ガイド部分は本質的には、係止エレメントの上部分に形成されており、係止面を上部分まで上方に移動する場合、十分大きなガイド部分を形成できない。本発明によれば、ガイド部分を係止溝及びその下部分まで移動することによって、十分に大きく、とりわけ更に効率的に且つ確実なガイドが行われる。本発明によれば、必要な案内体全体を係止溝の下部分に形成することも可能である。好ましい実施例では、協働するガイド部分を係止エレメントの上部分及び係止溝の下部分の両方に形成することもできる。
【００３５】
本発明の第１の特徴によれば、本質的に平らであり且つボードの平面に関して５０°以上の角度（Ａ）を持つ少なくとも一つの作用係止面が上部分に位置決めされた係止エレメントと、本質的に平らであり且つ係止エレメントの前記係止面と協働する少なくとも一つの係止面を持つ係止溝であって、係止エレメントの係止面の上方に又はその上縁部と隣接して位置決めされた係止エレメントの一部と係合することによって係止エレメントを係止溝内に案内する傾斜した又は丸みを付けた下ガイド部分を有する係止溝との組み合わせを含むことを特徴とする、冒頭に記載した種類の本発明による係止システムが提供される。
【００３６】
本発明は、フロアボードを機械的に接合するための係止システム及びこのような係止システムを持つフロアボードに関する。係止システムは、隣接したフロアボードを垂直方向及び水平方向で接合するための機械的協働手段を有する。垂直接合平面の周囲で水平方向に接合するための手段は、フロアボードの両接合縁部分に位置決めされた係止溝及び係止ストリップを含む。係止ストリップは、接合平面から延びており、上方に突出する係止エレメントをその自由端に有する。係止溝は、フロアボードの反対側の接合縁部分に接合平面から所定距離のところに形成されている。係止溝及び係止エレメントは作用係止面を有する。これらの係止面は本質的に平らであり、突出ストリップの上側から所定距離のところに、及び係止溝内に位置決めされ、ボードの上側に対して少なくとも５０°の角度を形成する。更に、係止溝は、係止エレメントの対応するガイド部分と協働するためのガイド部分を有する。
【００３７】
【発明の実施の形態】
好ましい実施例を説明する前に、先ず最初に、ストリップ係止システムの最も重要な部品を図５を参照して詳細に説明する。
【００３８】
本発明は、ボードのコアと一部品に形成された加工ストリップを持つ、又はボードのコアと一体化されているが別の材料、例えばアルミニウムで形成されたストリップを持つ接合システムに適用できる。ストリップ及びコアが同じ材料で形成された加工ストリップの実施例の最も大きな問題点は、摩擦が大きく且つ可撓性に乏しいことにより生じるため、以下にこの適用分野に絞って説明する。
【００３９】
図５の断面は、仮定の公にされていない断面であるが、これらの断面は、周知の「フィボロック（フィボロック（Ｆｉｂｏｌｏｃ）は登録商標である）」ファイバボードの係止システム及びＷＯ９９６６１５１による係止システムと非常に似ている。従って、図５は、本発明を表す図ではない。隣接したフロアボードを機械的に接合するためのストリップ係止システムの技術の説明の開始点に過ぎない。前の図面における部分と対応する部品には、多くの場合、同じ参照番号が附してある。図５のボードの基本的構成要素の構造、機能、及び材料組成は、本発明の実施例におけるのと本質的に同じであり、従って、適用可能である場合には、図５の以下の説明は、これに続いて説明される本発明の実施例にも適用される。
【００４０】
図示の実施例では、図５のボード１、１’は矩形であり、両長側縁部分４ａ、４ｂ、及び両短側縁部分５ａ、５ｂを含む。図５のｂは、ボード１の長側縁部分４ａの一部並びに隣接したボード１’の長側縁部分４ｂの一部の垂直断面を示す。ボード１はファイバボード製のコア３０を有し、このコアはその前側（上側）で表面層３２を支持し、その後側（下側）でバランシング層３４を支持する。ストリップ６は、フロアボードのコア及びバランシング層から切断によって形成され、係止エレメント８を支持する。従って、ストリップ６及び係止エレメント８は、フロアボード１のタング溝３６の下部分の延長部を構成する。ストリップ６上に形成された係止エレメント８は、隣接したボード１’の向き合った長側縁部４ｂの係止溝１４の作用係止面１１と協働する作用係止面１０を有する。これらの作用係止面１０、１１間の係合により、接合縁部の横方向（方向Ｄ２）でのボード１、１’の水平方向係止がなされる。係止エレメント８の作用係止面１０及び係止溝１４の作用係止面１１は、フロアボードの上側と平行な平面に関して係止角Ａを形成する。６０°のこの係止角Ａは、上接合縁部即ち接合平面Ｆとボードの上側との間の交点に中心を持ち且つ作用係止面１０、１１を通過する円弧Ｃに対する接線と対応する。フロアボード１’をフロアボード１に対して上方に傾けると、係止溝が円弧Ｃに従って移動し、抵抗なしに取り外しを行うことができる。係止エレメントの上部分はガイド部分９を有し、これは、設置時にフロアボードを対応する位置まで内方に角度をなして案内する。
【００４１】
Ｄ１方向で垂直係止を形成するため、接合縁部分４ａは、横方向に開放したタング溝３６を有し、反対側の接合縁部分４ｂは横方向に突出したタング３８を有する。このタングは、接合位置では、タング溝３６に受入れられる。係止システムの上接触面４３及び下接触面４５もまた平らであり、フロアボードの平面と平行である。
【００４２】
図５による接合位置では、ボード１、１’の互いに向き合った表面の二つの併置された上部分４１及び４２は、垂直接合平面Ｆを画成する。
【００４３】
図６は、未だ公開されていない本発明による実施例の一例を示す。この実施例は、タング３８及びタング溝３６がフロアボードで下方にずらしてあり、そのためこれらが中心からずらして位置決めされているという点で図５の実施例と異なる。更に、タング３８（及びかくしてタング溝３６）の厚さが大きくしてあると同時に係止エレメント８の相対的な高さが保持されている。従って、タング３８及びタング溝３６の上方の材料部分は更に剛性であり且つ強固であると同時に、フロア厚さＴ、ストリップ６の外部分、及び係止エレメント８は変更されていない。
【００４４】
図７は本発明の第１実施例を示す。係止エレメント８は、フロアボードの平面に対して本質的に垂直な係止角度Ａを持つ係止面１０を有する。係止面１０は、従来技術と比較すると、ストリップ６の上側に対して上方に移動してある。
【００４５】
本発明のこの実施例における係止角度Ａは、クリアランス角度ＴＡよりも本質的に大きい。このクリアランス角度ＴＡは係止エレメント８の上部分に接するとともに、接合平面Ｆがボードの上側と交差するところに中心Ｃ３を持つ円弧Ｃ１に対する接線の角度に対応する。
【００４６】
接合平面Ｆに最も近い係止溝１４の縁部は、係止エレメント８を係止溝内に保持できるように円弧Ｃ１の外側に位置決めされた部分を有するため、これらの部分は、フロアボード１’の取り外し時に、円弧Ｃ１に関して偏心しており且つ直径が大きく係止溝の作用係止面１１の下縁部と交差する円弧Ｃ２に従って移動する。上方に傾けることによってフロアボード１’を取り外すには、ストリップ６を曲げることができること、又はフロアボード１、１’の材料を圧縮できることが必要とされる。
【００４７】
本発明の好ましい実施例では、接合平面Ｆに最も近い係止溝１４の境界面は、円弧Ｃ１の内側に位置決めされた下ガイド部分１２を有する。このガイド部分は、従って、フロアの敷設と関連して、及びフロアボード１’をフロアボード１に対して下方に傾けることによって係止エレメント８を効率的に案内する。
【００４８】
図７は、更に、係止溝１４の作用係止面１１及び係止エレメント８の作用係止面１０が構造で上方に移動してあり、これらの係止作用面が係止ストリップ６の上側から所定距離のところに配置されているということを示す。このように位置決めすることにより、以下に論じる幾つかの利点が得られる。
【００４９】
図７から更に明らかになるように、係止ストリップ６の内側と係止エレメント８の作用係止面１０の下縁部との間に傾斜面１３が設けられている。図示の実施例では、この傾斜面１３と係止溝１４のガイド部分１２との間に隙間があり、そのため縁部分４ｂ面の下側へのガイド部分の移行部が円弧Ｃ１の内側に配置される。このような隙間により、フロアの敷設と関連した接合平面Ｆに沿ったフロアボードの互いに変位させる際の摩擦が減少する。
【００５０】
図８は、フロアの取り外し時及び設置時に上方に傾ける方法を示す。係止溝の係止面１１は、圧力を係止エレメント８の作用係止面１０の上部分に及ぼす。この圧力によりストリップ６を下方に、係止エレメント８を後方に、及び接合平面Ｆから遠ざかる方向に曲げる。実際には、二つのフロアボード上接合縁面４１、４２の木材ファイバ及び係止エレメントの係止面１０及び係止溝の係止面１１の木材ファイバの辺縁部で圧縮が生じる。ボードが係止位置にある場合に係止面１０、１１間に１ｍｍの数百分の一の小さな遊びがあるように接合システムが設計されている場合には、上方に傾けることによって確実に開放でき、係止面が傾斜している場合と同様に良好に機能する。
【００５１】
図９は、本発明の別の実施例を示す。この実施例では、溝３６及びタング３８が図７及び図８による実施例におけるよりも短く形成されている。その結果、垂直方向スナップ作用及びストリップを曲げる際に内方に傾けることの両方によって二つの隣接したフロアボード１、１’を機械的に係止できる。垂直方向スナップ作用は、係止面の周知の形状及び係止位置での接合方向に沿った変位の可能性、及び更に接合縁部に沿って引き出すこと又は上方に傾けることによって取り外すことと組み合わせることもできる。しかしながら、図には、フロアボード１’を下方に傾けけているときのフロアボードが示してある。係止溝の下部分即ちガイド部分１２はフロアボードを案内し、係止面１０、１１が互いに係合するように係止エレメント８を係止溝１４に導入できるようにする。ストリップ６を下方に曲げ、係止エレメント８を係止溝内に案内するが、フロアボードの互いに向き合った縁面部分４１、４２は間隔が隔てられている。係止角度Ａは、この実施例では８０°である。接合面Ｆと係止エレメント８との間のバランシング層３４の一部が完全に又は部分的に除去されるようにストリップの後側を加工することによって、ストリップの曲げを容易にできる。
【００５２】
図１０は、係止エレメント８及び係止溝１４の拡大図を示す。係止エレメント８は、係止エレメントの上部分に係止ストリップ６の内側から所定距離のところに形成された作用上係止面１０を有する。係止溝１４は、係止溝１４の開口部から所定距離のところに協働作用係止面１１を有する。この作用係止面もまた上方に延びる。
【００５３】
これらの作用係止面は表面１０、１１に関し、これらの表面は、係止されて張力荷重が加わったときに互いに協働する。両表面は、この実施例では平らであり、フロアボードの主平面に対して本質的に直角である。係止溝は、上文中に言及した円弧Ｃ１の内側に配置されたガイド部分１２を有し、このガイド部分は、この実施例では、係止エレメント８の作用係止面１０の上部分に対して接線をなす。
【００５４】
この実施例では、係止エレメントはその上部分にガイド部分９を有し、このガイド部分は円弧Ｃ１の外側に配置される。係止エレメント及び係止溝のガイド部分９、１２は、夫々、接合システムに良好な案内性を賦与するのに寄与する。従って、敷設手順の最終工程におけるフロアボード１、１’の全横方向変位は、Ｅ１及びＥ２の和である（図１０参照）。即ち、ガイド部分１２の下縁部と円弧Ｃ１との間の水平方向距離及びガイド部分９と円弧Ｃ１との間の水平方向距離の和である。このＥ１及びＥ２の和は、上文中に説明したフロアボードの最大バナナ形状よりも大きくなければならない。接合システムに案内性を与えるためには、Ｅ１及びＥ２はゼロ以上でなければならず、Ｅ１及びＥ２の両方は負の値であってもよく、即ち図示の態様に対して円弧Ｃ１の反対側に位置決めできる。
【００５５】
ストリップ６を下方に曲げることができる場合、及び係止エレメント８が他方のボードの一部と接触するときに係止エレメントの係止面１０を開放できるように係止エレメント８を接合平面から遠ざかるように曲げることができる場合に案内性が更に改善される。係止システムで作用しない表面間の自由な遊隙により製造が容易になる。これは、このような表面は狭い許容差で形成する必要がないためである。しかしながら、係止システムで作用し、敷設したフロアで互に係合するようになった表面、即ち作用係止面１０、１１、縁面部分４１、４２、及び溝３６とタング３８との間の上接触面４３は、形体に関して及びそれらの相対的な位置に関しての両方で狭い許容差で製造されなくてはならない。
【００５６】
係止システムの非作用面が互いから間隔が隔てられている場合には、接合されたフロアボードの接合縁に沿った横方向変位と関連した摩擦が減少する。
【００５７】
本発明によれば、係止エレメント及び係止溝の作用係止面１０、１１を、フロアボードの主平面に対して垂直方向で見て小さな高さを持つように形成する。これもまた、接合されたフロアボードの接合縁に沿った横方向変位における摩擦を減少する。
【００５８】
本質的に平らに且つ接合平面Ｆと平行に形成された本発明による作用係止面によって、接合平面Ｆと係止面１０、１１の夫々との間の距離を非常に高精度で容易に定めることができる。これは、製造で使用される加工工具を本質的に水平方向で高精度で制御することだけが必要とされるためである。垂直方向での精度は、作用係止面の高さに影響を及ぼすだけであるが、係止面の高さはそれらの水平方向位置程重要ではない。最新の製造技術を使用し、係止面を接合平面に関して±０．０１ｍｍの許容差で位置決めできる。これと同時に、垂直方向での許容差は±０．１ｍｍであり、これにより、平らな作用係止面の高さは０．５ｍｍ乃至０．３ｍｍの間で変化する。引張試験によれば、高さが０．３ｍｍの作用係止面は、接合部１ｍ当たり１０００ｋｇと対応する強度を提供する。この強度は、通常のフロア接合部で必要とされるよりもかなり高い。ストリップ６の上側の上方の係止エレメント８の高さＨ、及び作用係止面のレベルでの係止エレメント８の幅Ｗは、フロアボードの強度及び取り外しにとって重要である。
【００５９】
強度の必要条件が低い長側部では、係止エレメントは狭幅に且つ高く形成できる。狭幅の係止エレメントは更に容易に曲がり、設置したフロアボードの取り外しを容易にする。
【００６０】
強度の必要条件が比較的高い短側部では、係止エレメントは低く且つ広幅である。係止エレメントの下前部分１３、即ち係止面１０の下縁部とストリップ６の上側との間の係止エレメントの部分は、この実施例では、約４５°の角度を有する。このような設計は、設置されたフロアに引張荷重が加わった場合にストリップ６の上側と係止エレメント８との間の境界で割れが生じる危険を減少する。
【００６１】
図１１は本発明の別の実施例を示す。この場合、約７５°のクリアランス角度よりも大きい約８５°の角度を持つ上作用係止面１０を持つ係止エレメント８を使用する。この実施例では、係止溝１４のガイド部分１２は、更に、作用係止面１０、１１を補助する二次係止面として使用される。この実施例は、係止力を非常に大きくする。しかしながら、この実施例の欠点は、接合面Ｆに沿った横方向でのフロアボード１、１’の相対的変位と関連した摩擦がかなり大きいということである。
【００６２】
図１２は、フロアボードの敷設と関連してストリップ６を曲げるのを必要とする、本質的に垂直な係止面１０、１１及び小さな案内部分９、１２を持つ一つの更に別の実施例を示す。接合システムは、実際に「バナナ形状」を備えていないため、ガイドに対する必要が小さいフロアボードの短側部で使用する上で非常に便利である。短側部の開放は、最初に長側部を上方に傾けることによって行うことができ、その後、短側部を平行に接合縁に沿って変位する。開放は、丸みが付けてあるか或いは９０°以下の角度をなした適当に設計されたガイド部分１２、９を係止溝及び係止エレメントが備えている場合、及び作用係止面１０、１１の高さＬＳが小さく（図１２参照）、それらの高さが係止エレメントの高さの半分以下である場合、上方に傾けることによっても行うことができる。この実施例では、Ｅ２はＥ１よりも大きく、そのためＥ２及びＥ１の和はゼロ以上である（Ｅ１は、この場合、負の値を示す）。この場合にＥ１及びＥ２がほぼ同じ大きさであると、ストリップ６を下方に曲げることによって案内を行うことができ、これにより係止エレメント８のガイド部分９を所期の接合平面Ｆから遠ざかる方向に変位させ、更に係止エレメント８の角度を案内が行われるように変更する。
【００６３】
本発明の幾つかの変更が可能である。接合システムは、多数の異なる接合形状で製造でき、特に、特定の性質に他の性質以上の優先権を与えるのが所望である場合、上述のパラメータの幾つか又は全てを異ならせる。
【００６４】
本件発明者は、以上の記載に基づく多くの変更を考慮し、試験した。
【００６５】
係止エレメントの高さ及び係止面の角度を変化させることができる。のみならず、係止溝の係止面及び係止エレメントの係止面に同じ傾斜又は形体を与えるのが必要である。ガイド部分は、様々な角度及び半径で形成できる。係止エレメントの高さは、フロアボードの主平面でのその幅に亘って変化させることができ、係止エレメントは、異なるレベルで幅が異なる。このことは、係止溝にも当てはまる。係止溝の係止面は、係止角度が９０°を越えるように形成でき、又は僅かに丸みを付けて形成できる。係止エレメントの係止面が９０°を越える角度で形成されている場合には、上方に傾けることによるフロアボードの取り外しを阻止し永久的に係止できる。これは、十分に大きい９０°の係止面を持つ接合システム、又は上方に傾けることに抗する特別設計のガイド部分と組み合わせた係止システムによっても行うことができる。このような係止システムは、高い係止力を必要とする短側部について特に適している。
【図面の簡単な説明】
【図１】  ａ乃至ｃは、フロアボードの長側部をＷＯ９４２６９９９に従って機械的に接合するための下方に傾ける方法の三つの段階を示す図である。
【図２】  ａ乃至ｃは、フロアボードの短側部をＷＯ９４２６９９９に従って機械的に接合するためのスナップ作用方法の三つの段階を示す図である。
【図３】  ａ及びｂは、夫々、ＷＯ９４２６９９９によるフロアボードの平面図及び底面図である。
【図４】  市販されている４種類のストリップ−ロックシステム及び米国特許第４，４２６，８２０号によるストリップ−ロックシステムを示す図である。
【図５】  フロアボードの長側部を接合するためのＷＯ９９６６１５１による周知のストリップ−ロックシステムの基本的原理の詳細図である。
【図６】  保護が請求されており且つ未だ航海されていない係止システム（出願人：ベーリンゲアルミニウムＡＢ）の一例を示す図である。
【図７】  本発明による係止システムを示す図である。
【図８】  本発明による係止システムを示す図である。
【図９】  本発明によるフロアボード及び係止システムの別の例を示す図である。
【図１０】  本発明によるフロアボード及び係止システムの別の例の係止溝及び係止構成要素の図である。
【図１１】  本発明によるフロアボード及び係止システムの更に別の例の係止溝及び係止構成要素の図である。
【図１２】  本発明によるフロアボード及び係止システムの他の例の係止溝及び係止構成要素の図である。
【符号の説明】
１  フロアボード
４ａ、４ｂ  長側部
５ａ、５ｂ  短側部
６  ストリップ
８  係止エレメント
３４  バランシング層
３６  タング溝
【図１】
0004708659.tif 000002
【図２】
0004708659.tif 000003
【図３】
0004708659.tif 000004
【図４】
0004708659.tif 000005
【図５】
0004708659.tif 000006
【図６】
0004708659.tif 000007
【図７】
0004708659.tif 000008
【図８】
0004708659.tif 000009
【図９】
0004708659.tif 000010
【図１０】
0004708659.tif 000011
【図１１】
0004708659.tif 000012
【図１２】
0004708659.tif 000013